(57)【要約】【課題】ＧＰＳ機能を有する携帯機器の小型化を実現し得る構成を提供する。【解決手段】携帯機器１において、携帯機器本体１０と、携帯機器本体を包む外装部材１１，１２，１３，１４と、携帯機器本体に実装されたＧＰＳ回路１６と、外装部材と携帯機器本体との間に配置されＧＰＳ回路に電気的に接続され携帯機器本体に実装された部材２２を固定するための固定用部材であってＧＰＳ回路のアンテナとしての機能を兼用する固定用金属部材１７Ａとを具備する。【選択図】図２
2012181368.tif 000002
【特許請求の範囲】
【請求項１】
携帯機器において、
携帯機器本体と、
上記携帯機器本体を包む外装部材と、
上記携帯機器本体に実装されたＧＰＳ回路と、
上記外装部材と上記携帯機器本体との間に配置され、上記ＧＰＳ回路に電気的に接続され、上記携帯機器本体に実装された部材を固定するための固定用部材であって、上記ＧＰＳ回路のアンテナとしての機能を兼用する固定用金属部材と、
を具備したことを特徴とする携帯機器。
【請求項２】
さらに、上記携帯機器本体の一部を防水するための水密シール部材を具備し、
上記固定用金属部材は、上記水密シール部材を上記携帯機器本体に固定するため上記水密シール部材を押圧する防水部品として機能すると同時に、上記携帯機器本体に固定されたアンテナ部品としても機能するように構成されていることを特徴とする請求項１に記載の携帯機器。
【請求項３】
上記携帯機器本体において水密シールされるべき上記一部は、上記携帯機器本体の内部と外部とを連通する孔部を有し、上記孔部が上記水密シール部材によって防水されることを特徴とする請求項２に記載の携帯機器。
【請求項４】
上記固定用金属部材には、上記外装部材が固定されていることを特徴とする請求項１〜請求項３に記載の携帯機器。
【請求項５】
上記携帯機器は、撮像機器であることを特徴とする請求項１〜請求項３に記載の携帯機器。
【発明の詳細な説明】
【技術分野】
【０００１】
この発明は、携帯機器、詳しくはＧＰＳ機能を有する携帯機器に関するものである。
【背景技術】
【０００２】
従来、全地球測位システム（Global Positioning System；以下、ＧＰＳという）を利用して位置情報（緯度，経度）を取得するいわゆるＧＰＳ機能を有する電子機器が広く普及している。
【０００３】
例えば、ＧＰＳ機能を有するデジタルカメラ等の撮像機器においては、撮影時点の位置情報を取得し、この位置情報を撮影画像データに関連付けて記録し得るように構成したものがある。
【０００４】
このように、電子機器に対してＧＰＳ機能等の新たな機能を付加するためには、そのための構成部材を新たに搭載する必要があることから、機器を多機能化しようとすると、それに伴って機器自体が大型化してしまうという問題点がある。
【０００５】
近年においては、このような電子機器の多機能化に加えて、携帯して使用するのに至便なように、小型化への要望が常にある。
【０００６】
そこで、従来のこの種の電子機器、即ち小型で携帯可能な電子機器（携帯機器という）においては、例えばＧＰＳ機能を実現するために必要となる構成部材を搭載しながら、機器を小型化するための工夫が、例えば特開２００６−１５４２７８号公報等によって種々の手段が提案されている。
【０００７】
上記特開２００６−１５４２７８号公報等によって開示されている携帯機器は、ＧＰＳ機能を有する撮像機器（カメラ）であって、ＧＰＳ衛星からの電波を受信するためのアンテナ部品を、例えば外部ストロボ取付用金具，ポップアップストロボ用アーム部等、既存の部材を利用して配設し、これにより機器の大型化を抑止するというものである。  
【先行技術文献】
【特許文献】
【０００８】
【特許文献１】特開２００６−１５４２７８号公報
【発明の概要】
【発明が解決しようとする課題】
【０００９】
ところが、上記特開２００６−１５４２７８号公報等によって開示されている手段において、例えばＧＰＳ衛星からの電波を受信するアンテナを外部ストロボ取付用金具と兼用する手段では、ストロボ取付用金具としての規定の形状に縛られてしまい、アンテナとして機能するのに有効な形状を実現できないという問題点がある。また、上記公報において、例えばポップアップストロボ用アーム部にアンテナを配置する手段では、可動部にアンテナが配置されることになるので、カメラの使用状況によっては、受信感度に影響を及ぼしてしまう場合もあり得るという問題点がある。
【００１０】
本発明は、上述した点に鑑みてなされたものであって、その目的とするところは、ＧＰＳ機能を有する携帯機器において、機器内部に設けられている金属部材とアンテナ部材とを兼用させると共に、その部材配置を工夫することによって、機器の小型化を実現し得る携帯機器を提供することである。
【課題を解決するための手段】
【００１１】
上記目的を達成するために、本発明の一態様の携帯機器は、携帯機器本体と、上記携帯機器本体を包む外装部材と、上記携帯機器本体に実装されたＧＰＳ回路と、上記外装部材と上記携帯機器本体との間に配置され上記ＧＰＳ回路に電気的に接続され上記携帯機器本体に実装された部材を固定するための固定用部材であって上記ＧＰＳ回路のアンテナとしての機能を兼用する固定用金属部材と、を具備したことを特徴とする。
【発明の効果】
【００１２】
本発明によれば、ＧＰＳ機能を有する携帯機器において、機器内部に設けられている金属部材とアンテナ部材とを兼用させると共に、その部材配置を工夫することによって、機器の小型化を実現し得る携帯機器を提供することができる。
【図面の簡単な説明】
【００１３】
【図１】本発明の一実施形態の撮像機器を示す外観斜視図、
【図２】図１の撮像機器を分解して示す分解斜視図、
【図３】図２の一部を拡大して示す要部拡大分解斜視図、
【図４】図３の一部を拡大して示す要部拡大分解斜視図、
【図５】図１の撮像機器の縦断面図、
【図６】図５の一部を拡大して示す要部拡大断面図、
【図７】図１の撮像装置において適用されるＧＰＳユニットの実装面を示す概略平面図、
【図８】図７の矢印［VIII］方向から見た際の概略側面図、
【図９】図１の撮像装置における機器本体のみを取り出して上面側から見た際の平面図、
【図１０】図１の撮像装置の機器本体にアンテナ部品を取り付けた状態の機器本体を上面側から見た際の平面図、
【発明を実施するための形態】
【００１４】
以下、図示の実施の形態によって本発明を説明する。
【００１５】
図１〜図１０は、本発明の一実施形態を示す図であって、このうち図１は、本実施形態の携帯機器（撮像機器であるカメラ）を示す外観斜視図である。図２〜図４は、本実施形態の撮像機器を分解して示す分解斜視図である。図５，図６は、本実施形態の撮像機器の縦断面図である。図７，図８は、本実施形態の撮像装置において適用されるＧＰＳユニットのみを取り出して示す平面図及び側面図である。図９，図１０は、本実施形態の撮像装置における機器本体の上面側を示す平面図である。このうち、図９は機器本体自体の上面構造を示している。また、図１０は機器本体の上面にアンテナ部品を装着した場合の状態を示している。
【００１６】
本発明の一実施形態は、例えば光学レンズにより形成される光学像を固体撮像素子を用いて光電変換し、これによって得られる画像信号を静止画像又は動画像を表わすデジタル画像データに変換し、こうして生成されたデジタル画像データを記録媒体に記録し、また記録媒体に記録されたデジタル画像データに基いて静止画像又は動画像を表示装置に再生表示し得るように構成され、さらにＧＰＳを利用して自身の位置情報（緯度，経度）を取得するいわゆるＧＰＳ機能を有し、このＧＰＳ機能によって取得した位置情報を撮影画像データに関連付けて記録するように構成した小型で携帯可能な電子機器（以下、携帯機器と略称する）であり、例えばデジタルカメラ等の撮影機器に本発明を適用した場合の例示である。
【００１７】
なお、本実施形態においては、カメラの使用時に被写体に対向する面をカメラの前面というものとする。カメラの使用時に使用者が対面する面をカメラの背面というものとする。また、操作部材のうちシャッターレリーズボタンが配設されている面を上面というものとする。そして、カメラの上面に対向する面を底面というものとする。さらに、カメラの通常の使用状態で両側に配置される面を左側面及び右側面というものとする。この場合における左右の判別は、被写体側からカメラの前面に向かって見たときの左側又は右側をそれぞれ左又は右として区別する。
【００１８】
また、以下の説明に用いる各図面においては、各構成要素を図面上で認識可能な程度の大きさとするため、各構成要素毎に縮尺を異ならせて示している場合がある。したがって、本発明は、これらの図面に記載された構成要素の数量，構成要素の形状，構成要素の大きさの比率及び各構成要素の相対的な位置関係は、図示の形態のみに限定されるものではない。
【００１９】
まず、本実施形態の携帯機器であり撮像機器であるカメラの概略構成について、主に図１〜図３を用いて以下に説明する。
【００２０】
図１〜図３に示すように、本実施形態のカメラ１は、内部主要構造体であるカメラ本体１０（図１には不図示）と、前カバー１１，後カバー１２，上面及び右側面カバー１３，左側面カバー１４等によって上記カメラ本体１０の外面を覆う筐体を形成し、上記カメラ本体１０を包む外装部材等によって主に構成されている。
【００２１】
カメラ本体１０は、本カメラ１の主要構造体であって、例えば樹脂成型品等によって形成されている。カメラ本体１０は、本カメラ１の内部構成ユニット、例えばカメラ主基板１５Ａ，スイッチ基板１５Ｂ，ＧＰＳ回路であるＧＰＳユニット１６等を内部に実装し、撮影光学系等を内部に有する光学筐体１８，バッテリ及びメモリカード等の収納室を形成する内部筐体（不図示）等を内部に固定支持している。
【００２２】
カメラ主基板１５Ａは、本カメラ１の全体を制御する制御回路や、該カメラ１を構成する各種構成ユニットを制御する回路基板等を実装する回路基板である。
【００２３】
スイッチ基板１５Ｂは、シャッターレリースボタン２１ａや電源ボタン２１ｂ等の操作部材に連動するスイッチ部材（シャッターレリーススイッチ１５Ｂｂ，電源スイッチ１５Ｂａ）やＬＥＤチップ１５Ｂｃ等の電気部品が実装される回路基板である。
【００２４】
ＧＰＳ回路であるＧＰＳユニット１６は、アンテナ接点１６ａ，ＧＰＳアンテナ素子１６ｂ等の電気部品を実装した回路基板である。詳細は後述するが、ＧＰＳユニット１６は、アンテナ接点１６ａを介してＧＰＳ用のアンテナ部品である固定用部材１７Ａ，１７Ｂとの間で電気的に接続されている。そして、ＧＰＳユニット１６は、上記固定用部材１７Ａ，１７Ｂを介してＧＰＳ衛星からの電波を受信して、ＧＰＳ機能を実現するためのＧＰＳ用のアンテナモジュールを構成している。
【００２５】
光学筐体１８は、撮影光学系及びこの撮影光学系を駆動する駆動機構や、撮像素子を含む撮像ユニット等を含んで構成される構成ユニットである。
【００２６】
上記内部筐体は、上記スイッチ基板１５Ｂや上記ＧＰＳユニット１６等のほか、図示しない外部接続用コネクタ（ＵＳＢ端子，ＨＤＭＩ端子等）や閃光発光装置（不図示）の一部を構成する構成部材等を保持している。
【００２７】
外装部材を形成する前カバー１１，後カバー１２，上面及び右側面カバー１３，左側面カバー１４は、いずれも例えば樹脂成型品等によって形成されている。  
このうち、前カバー１１は、本カメラ１の前面と、上面の前寄り周縁部と、底面の前寄り周縁部とを覆うカバー部材である。前カバー１１は、前面に向けて穿設される二つの開口窓１１ａ，１１ｂを有している。ここで、一方の開口窓１１ａには、上記カメラ本体１０に固定支持されている光学筐体１８の撮影光学系のうちの第１レンズ１８ａ（図１参照）の前面を外部に露呈し、被写体からの光束を当該カメラ１内へと導入するために形成された開口部である。また、他方の開口窓１１ｂは、同様に上記カメラ本体１０の内部に設けられる閃光発光装置（不図示）の照明光投射部１５ａ（図１参照）を外部に露呈し、上記閃光発光装置からの照明光をカメラ１の外部へと（被写体に向けて）投射するために形成された開口部である。
【００２８】
後カバー１２は、本カメラ１の主に背面と、上面，底面，右側面のそれぞれの背面寄り周縁部とを覆うカバー部材である。後カバー１２の背面には、表示装置１２ａと、複数の操作部材２１が、それぞれ所定の位置に配設される。
【００２９】
上面及び右側面カバー１３は、本カメラ１の主に上面及び右側面の略中央部分を覆うカバー部材である。上面及び右側面カバー１３には、シャッターレリースボタン２１ａや電源ボタン２１ｂ等の操作部材や、アクセスランプ２１ｃ等を配設するための貫通孔１３ａ，１３ｂ，１３ｃ（図３参照）が形成されている。
【００３０】
左側面カバー１４は、本カメラ１の主に左側面を覆うカバー部材である。なお、詳細構成の図示は省略しているが、この左側面カバー１４は、カメラ本体１０に固設される軸部材を回動中心として、該カメラ本体１０に対して回動自在に配設されている。これにより、左側面カバー１４は、カメラ１の左側面を覆う閉位置と、同左側面を開放する開位置との間で回動変位し得るように構成されている。そして、カメラ本体１０の左側面には、上記内部筐体（不図示）のバッテリ開口，メモリカード開口，外部接続用コネクタの端子部等が配置されている。したがって、左側面カバー１４が開位置にあるときには、これら（開口，コネクタ等）を外部に露呈する一方、同左側面カバー１４を閉位置としたときには、これら（開口，コネクタ等）を覆うようになっている。
【００３１】
そして、上記前カバー１１，後カバー１２，上面及び右側面カバー１３は、カメラ本体１０に対してネジ止め固定されることによって、カメラ本体１０の外面を包むように配置され、左側面カバー１４は、閉位置にしたときカメラ本体１０の外面を覆うように構成されている。本実施形態のカメラ１の概略構成は、以上の通りである。
【００３２】
次に、本カメラ１の細部構成において、本発明に関わる部位の詳細を、主に図４〜図１０を用いて以下に説明する。
【００３３】
本カメラ１の上面には、シャッターレリースボタン２１ａ，電源ボタン２１ｂ等の操作部材やアクセスランプ２１ｃ等が配設されている。そのために、上面及び右側面カバー１３の上面部には、上述したように貫通孔１３ａ，１３ｂ，１３ｃが形成されている。
【００３４】
これに対応させて、カメラ本体１０には、図４，図９，図１０等に示すように、本カメラ１を組み立てた状態としたとき上面及び右側面カバー１３の上記貫通孔１３ａ，１３ｂ，１３ｃが対向する部位に、複数の貫通孔（１０ａａ，１０ａｂ，１０ａｃ）を底面に含む凹部１０ａが形成されている。
【００３５】
つまり、上記複数の貫通孔１０ａａ，１０ａｂ，１０ａｃのうち、貫通孔１０ａａは貫通孔１３ａに、貫通孔１０ａｂは貫通孔１３ｂに、貫通孔１０ａｃは貫通孔１３ｃに、それぞれ対応する位置に形成されている。そして、これらの貫通孔１０ａａ，１０ａｂ，１０ａｃは、カメラ本体１０の内部と外部とを連通する孔部となっている。
【００３６】
また、カメラ本体１０の内部には、上記貫通孔１０ａａ，１０ａｂ，１０ａｃに対向する部位に、スイッチ基板１５Ｂが配設されている（図４参照）。  
そして、カメラ本体１０の上記凹部１０ａ内には、外形形状が該凹部１０ａと略同形状となるように形成されており、カメラ本体１０の一部を防水するための水密シール部材２２が嵌入配置されている。この水密シール部材２２は、例えば半透明のシリコーン樹脂等からなる弾性を有する部材が適用される。該水密シール部材２２には、上記貫通孔１０ａａ，１０ａｂが対応するそれぞれの部位に貫通孔が形成されている。なお、貫通孔１０ａｃに対向する部位には孔は形成されていない。つまり、カメラ１を組み立てた状態にしたときには、貫通孔１０ａｃは水密シール部材２２によって水密的に閉塞状態となる。
【００３７】
一方、上面及び右側面カバー１３とカメラ本体１０の上面との間には、カメラ本体１０に実装された部材を固定するために固定用部材１７Ａ，１７Ｂが配設されている。詳細は後述するが、この固定用部材１７Ａ，１７Ｂは、例えばステンレス鋼等（ＳＵＳ３８４等）の非帯磁性で導電性を有する薄板状の金属部材をプレス等による板金加工により形成される固定用金属部材である。
【００３８】
また、固定用部材１７Ａは、カメラ本体１０の一部（シャッターレリースボタン２１ａ近傍）の防水機能を実現するために配設される防水部材でもある。  
さらに、固定用部材１７Ａ，１７Ｂは、ＧＰＳ衛星からの電波を受信するアンテナ部品をも兼ねている。そのために、固定用部材１７Ａ，１７Ｂは、上記ＧＰＳユニット１６に対して電気的に接続されている（その詳細構成は後述する）。
【００３９】
固定用部材１７Ａ，１７Ｂは、カメラ本体１０の上面に対してネジ止め固定される（図４，図１０等参照）。このとき、固定用部材１７Ａは、カメラ本体１０の上面に沿って略面一に配置される。したがって、固定用部材１７Ａは、水密シール部材２２を凹部１０ａ内において押圧し圧縮させた状態でカメラ本体１０に対して固定する固定用部材となっている。この構成により、カメラ本体１０の一部であって、シャッターレリースボタン２１ａ等が配設されている当該部位においては、カメラ本体１０の貫通孔１０ａａ，１０ａｂ，１０ａｃは、上記水密シール部材２２によって防水されている。つまり、水密シール部材２２は防水部品として機能している。
【００４０】
そして、固定用部材１７Ａにも、本カメラ１を組み立てた状態としたときに、上記貫通孔１０ａａ，１０ａｂ，１０ａｃが対応するそれぞれの部位に、貫通孔１７Ａａ，１７Ａｂ，１７Ａｃ（図１０参照）が形成されている。
【００４１】
このような構成により、本カメラ１を組み立てた状態としたときには、シャッターレリースボタン２１ａの軸部は、上面側から貫通孔１３ａ，固定用部材１７Ａの貫通孔，水密シール部材２２の貫通孔，貫通孔１０ａａを貫通した後、シャッターレリーススイッチ１５Ｂａを押圧し得るように配設されている。また、同状態において、電源ボタン２１ｂの軸部は、上面側から貫通孔１３ｂ，固定用部材１７Ａの貫通孔，水密シール部材２２の貫通孔，貫通孔１０ａｂを貫通した後、電源スイッチ１５Ｂｂを押圧し得るように配設されている。この場合において、外部からカメラ本体１０の内部へと挿入されるシャッターレリースボタン２１ａ及び電源ボタン２１ｂの各軸部とカメラ本体１０の貫通孔１０ａａ，１０ａｂとの間は、水密シール部材２２によって防水されている。
【００４２】
一方、スイッチ基板１５Ｂ上のＬＥＤチップ１５Ｂｃからの出射光は、貫通孔１０ａｃを通過した後、水密シール部材２２の対向する部位に照射される。ここで、貫通孔１０ａｃに対応する水密シール部材２２の部位は水密的に閉塞状態にあるが、水密シール部材２２自体は半透明状に形成されているので、ＬＥＤ１５Ｂｃの出射光は透過する。したがって、当該出射光は、水密シール部材２２を透過した後、貫通孔１７Ａｃを通過して、上記アクセスランプ２１ｃに到達する。ここで、アクセスランプ２１ｃは、例えば透明な樹脂材料で形成されている。したがって、上述の如くアクセスランプ２１ｃに到達したＬＥＤ１５Ｂｃからの出射光は、該アクセスランプ２１ｃを透過して、外部から視認することができる。この場合において、貫通孔１０ａｃは水密シール部材２２によって防水されている。
【００４３】
さらに、固定用部材１７Ａ，１７Ｂには、カメラ本体１０にネジ止め固定したときに、下面から下方に向けて突出する接点ピン１７ａ（図４等参照）が、それぞれに一つずつカシメ等の固定手段によって植設されている。この接点ピン１７ａは、ＧＰＳユニット１６との間で電気的な接続を行うために設けられる接続部材である。そのために、カメラ本体１０の上面には、固定用部材１７Ａ，１７Ｂがネジ止め固定されたときに、上記二本の接点ピン１７ａに対向するそれぞれの部位に、該二本の接点ピン１７ａのそれぞれが挿入配置される貫通孔１０ｂｂを底面に形成した凹部１０ｂが二つ形成されている（図４，図９等参照）。つまり、この貫通孔１０ｂｂは、カメラ本体１０の内部と外部とを連通する孔部となっている。なお、上記凹部１０ｂの径寸法は貫通孔１０ｂｂの径寸法よりも大径に形成されている。そして、凹部１０ｂには、水密シール部材である防水用Ｏリング２３が嵌入配置される。この防水用Ｏリング２３は、図４，図６等に示すように、当該凹部１０ｂの開口径と略同径若しくは若干大径に形成されている。これにより、防水用Ｏリング２３は、凹部１０ｂに収納される際には圧縮された状態で収納される。
【００４４】
また、上記接点ピン１７ａ，凹部１０ｂ，貫通孔１０ｂｂに対応させて、カメラ本体１０の内部には、上記二本の接点ピン１７ａのそれぞれに対向する部位に、ＧＰＳユニット１６の基板面上に実装された二つのアンテナ接点１６ａ（図４，図７等参照）が配置される。この二つのアンテナ接点１６ａは、図７，図８に示すように、例えば板状バネで形成されていて、図８の矢印Ａで示す方向に、即ちカメラ下方に向かって弾性変形し得るように形成されている。なお、ＧＰＳユニット１６の基板上には、図７，図８に示すように、上記二つのアンテナ接点１６ａのほかに、例えばＧＰＳアンテナ素子１６ｂ等の複数の電気部品を実装して構成されている。
【００４５】
このような構成により、カメラ本体１０に固定用部材１７Ａ，１７Ｂをネジ止め固定したときには、二本の接点ピン１７ａは、それぞれに対応する防水用Ｏリング２３を介して凹部１０ｂ，貫通孔１０ｂｂを挿通し、カメラ本体１０の内部に挿入される。この場合において、外部からカメラ本体１０の内部へと挿入される接点ピン１７ａとカメラ本体１０の貫通孔１０ｂｂとの間は、防水用Ｏリング２３によって防水されている。そして、カメラ本体１０内部へと挿入された二本の接点ピン１７ａのそれぞれは、各対応するアンテナ接点１６ａに常に接触している状態になる。これにより、ＧＰＳユニット１６と固定用部材１７Ａ，１７Ｂとの間の電気的接続が確保される。つまり、この場合において、固定用部材１７Ａ，１７Ｂはアンテナ部品として機能している。また、ＧＰＳユニット１６は、フレキシブルケーブル等からなる中継接続配線１６ｃを介してカメラ主基板１５Ａとの間で電気的に接続されている。
【００４６】
なお、上記カメラ本体１０の上面には、上述した凹部１０ａ，１０ｂ及び貫通孔１０ａａ，１０ａｂ，１０ａｃ，１０ｂｂ以外にも複数の孔が形成されている。このうちの幾つかの孔は、特に符号を付していないが、カメラ本体１０の上面に対して上記固定用部材１７Ａ，１７Ｂや上記上面及び右側面カバー１３を固定するためのネジ孔となっている。
【００４７】
一方、固定用部材１７Ｂには、ビス孔１７Ｂａが形成されている。このビス孔１７Ｂａには、最外部から、上記外装部材のうち上面及び右側面カバー１３の貫通孔１３ｄ（図２，図３参照），前カバー１１の上面タブ部１１ｃの貫通孔１１ｃｃ，後カバー１２の上面タブ１２ｂの貫通孔１２ｂｂ（図３参照）を挿通する固定用ビス３１が螺合する。これにより、外装部材のうち上面及び右側面カバー１３，前カバー１１，後カバー１２が、固定用部材１７Ｂに対して固定される。なお、本カメラ１を組み立てた状態としたとき、上記固定用ビス３１の先端がカメラ本体１０の上面と干渉しないように、カメラ本体１０の上面には、取り付けられた固定用ビス３１に対向する部位に逃げ孔１０ｄが形成されている。
【００４８】
また、上記各外装部材を上記固定用部材１７Ｂに対して固定するようにしているので、上記固定用部材１７Ｂは、ビス孔１７Ｂａを形成した部位の近傍であって、上面タブ部１１ｃ，１２ｂを重ねて固定配置する部位に、凹状段差部１７Ｂｂを形成している。これに対応させて、カメラ本体１０の上面にも凹状段差部１０ｅを形成している。この構成により、外装部材をカメラ本体１０に取り付けるのに際して、外装部材の外観を損ねてしまうことがない。
【００４９】
上述したように、本実施形態のカメラ１においては、カメラ本体１０の上面に配設される固定用部材１７Ａ，１７Ｂを、ＧＰＳ衛星からの電波を受信するアンテナ部品を兼ねるように構成している。この固定用部材１７Ａ，１７Ｂを受信アンテナとして利用するために金属部材によって形成している。
【００５０】
また、固定用部材１７Ａ，１７Ｂの周囲に配置される各種構成部材の材質が、電波の受信感度に影響を与える可能性が指摘される。したがって、このことを考慮して、固定用部材１７Ａ，１７Ｂの周囲に配置される部材のうち、例えば前カバー１１，後カバー１２，上面及び右側面カバー１３等の外装部材や、カメラ本体１０等の主要構成部材を樹脂成型品によって構成している。従来のカメラ等において、これらの外装部材は、製品の外観に関わる部分であることから、高級感や美観を得るために、例えば金属部材を用いることがあった。しかしながら、本実施形態のカメラ１においては、上述したように、電波受信への影響を考慮して、これらの外装部材に樹脂成型品を用い、その表面に塗装処理や無通電蒸着処理等を施すことで、外観上の美観やバリエーションを得ながら、非導電性を確保している。
【００５１】
また、シャッターレリースボタン２１ａ，電源ボタン２１ｂ等の操作部材等についても樹脂成型品で形成される。これらの操作部材については、従来、外観上の装飾性を考慮して、樹脂メッキ等の表面処理が施されるのが普通である。しかしながら、本実施形態のカメラ１においては、上述したように、電波受信への影響を考慮する観点から、シャッターレリースボタン２１ａ，電源ボタン２１ｂ等の表面処理として無通電蒸着処理等を施すことで対処している。なお、上記アクセスランプ２１ｃも、同様に樹脂成型品で形成されるが、該アクセスランプ２１ｃは、上述したようにＬＥＤ１５Ｂｃからの出射光を透過させ得る透明部材で形成している。
【００５２】
さらに、固定用部材１７Ａ，１７Ｂをカメラ本体１０の上面に配設するのに際しては、固定用部材１７Ａ，１７Ｂがカメラ本体１０の上面に沿う形状となるように、薄板状部材のプレス板金加工が施される。このような形態とすれば、固定用部材１７Ａ，１７Ｂとカメラ本体１０の上面との間に生じる隙間空間をできるだけ排除することができる。したがって、例えばカメラ１に対し落下等による衝撃が加わった場合の衝撃力に対応する耐衝撃性を考慮し工夫して得られた形状となっている。
【００５３】
以上説明したように上記一実施形態によれば、ＧＰＳ機能を有する携帯機器であるカメラ１において、外装部材である上面及び右側面カバー１３と携帯機器本体であるカメラ本体１０との間に配置され、携帯機器本体（カメラ本体１０）に実装された部材のうちの水密シール部材２２を固定するための固定用部材１７Ａを、ＧＰＳ回路であるＧＰＳユニット１６に電気的に接続して、ＧＰＳユニット１６のアンテナとしての機能を兼用するように固定用金属部材として構成したので、専用のアンテナ部材を設ける必要がなく、構成部材を省略することができ、よって機器自体の小型化に寄与することができる。
【００５４】
この場合において、固定用部材１７Ａ，１７ＢとＧＰＳユニット１６とを電気的に接続するために、カメラ本体１０の外部に固定される固定用部材１７Ａ，１７Ｂのそれぞれに接点ピン１７ａを設け、カメラ本体１０に該カメラ本体１０の内部と外部とを連通する孔部である貫通孔１０ｂｂを設け、カメラ本体１０の内部に設けられるＧＰＳユニット１６のアンテナ接点１６ａを上記貫通孔１０ｂｂに対応する位置に配置している。
【００５５】
したがって、この構成により、接点ピン１７ａを貫通孔１０ｂｂに挿通配置することで、接点ピン１７ａがアンテナ接点１６ａに接触し、よって固定用部材１７Ａ，１７ＢとＧＰＳユニット１６との電気的接続を確保できる。
【００５６】
さらに、上記貫通孔１０ｂｂが設けられる凹部１０ｂ内に防水用Ｏリング２３を配設することによって、該貫通孔１０ｂｂが防水されている。
【００５７】
一方、アンテナ部品としての固定用部材１７Ａ，１７Ｂを、上面及び右側面カバー１３（外装部材）とカメラ本体１０（携帯機器本体）との間に配置したことによって、固定用部材１７Ａ，１７Ｂは、外装部材の内側に配設されることになり、カメラ１の外部に露出されることがない。したがって、固定用部材１７Ａ，１７Ｂを自由な形状で形成することができる。つまり、防水部品として機能すると同時に、アンテナ部品としても効率的な受信機能を備え得るような形状で形成することができる。
【００５８】
他方、固定用金属部材としての固定用部材１７Ｂに対して、上面及び右側面カバー１３，前カバー１１の一部及び後カバー１２の一部（外装部材）をビス止め固定するように構成したので、固定用ビス３１のビス長を短縮化することができる。
【００５９】
なお、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。
【産業上の利用可能性】
【００６０】
本発明は、ＧＰＳ機能を有し携帯可能な小型電子機器、例えば携帯電話，録音機器，電子手帳，パーソナルコンピュータ，ゲーム機器，テレビ，時計等、各種のＧＰＳ機能付き電子機器に広く適用することができる。
【符号の説明】
【００６１】
１…カメラ，１０…カメラ本体，１０ａ，１０ｂ…凹部，１０ａａ，１０ａｂ，１０ａｃ，１０ｂｂ…貫通孔，１１…前カバー，１２…後カバー，１３…上面及び右側面カバー，１３ａ，１３ｂ，１３ｃ，１３ｄ…貫通孔，１４…左側面カバー，１５Ａ…カメラ主基板，１５Ｂ…スイッチ基板，１６…ＧＰＳユニット，１６ａ…アンテナ接点，１６ｂ…アンテナ素子，１６ｃ…中継接続配線，１７Ａ，１７Ｂ…固定用部材，１７Ａａ，１７Ａｂ，１７Ａｃ…貫通孔，１７Ｂａ…ビス孔，１７ａ…接点ピン，１８…光学筐体，２１ａ…シャッターレリースボタン，２１ｂ…電源ボタン，２１ｃ…アクセスランプ，２２…水密シール部材，２３…防水用Ｏリング，３１…固定用ビス
【図１】
2012181368.tif 000003
【図２】
2012181368.tif 000004
【図３】
2012181368.tif 000005
【図４】
2012181368.tif 000006
【図５】
2012181368.tif 000007
【図６】
2012181368.tif 000008
【図７】
2012181368.tif 000009
【図８】
2012181368.tif 000010
【図９】
2012181368.tif 000011
【図１０】
2012181368.tif 000012